(57)【要約】【課題】  本発明は、中型の交換作業に費やす時間を抑えることができ、且つ中型を取り付けるプレートの撓みを抑えることができる成型装置を提供することを課題とする。【解決手段】  互いに接離する第一フレーム、第二フレームと、第一中型を有し且つ前記第一フレームに出し入れ可能な第一ユニットと、第二中型を有する第二ユニットと、前記第一中型と前記第二中型とを組み合わせて前記第一ユニットと前記第二ユニットとを一つの組品とした組付状態で前記第一フレームに前記第一ユニットを着脱可能な第一着脱構造と、前記組付状態で前記第二フレームに該第二ユニットを着脱可能な第二着脱構造とを備え、前記第一着脱構造が、前記第一フレーム内の前記第一インサイドプレートを抜止する可動抜止部と、該可動抜止部を前記第一インサイドプレートに向けて付勢する付勢構造とを備える成型装置。【選択図】図６
2018149712.tif 000002
【特許請求の範囲】
【請求項１】
枠状の第一フレームと、該第一フレームに対して相対的に接離する第二フレームと、第一中型を有する第一ユニットであって、前記第一フレームに出し入れ可能な第一ユニットと、前記第一中型に組み合わされてキャビティを形成する第二中型を有する第二ユニットと、前記第一中型及び前記第二中型を組み合わせて前記第一ユニットと前記第二ユニットとを一つの組品とした組付状態で、前記第一フレームに対して前記第一ユニットを着脱可能な第一着脱構造と、前記組付状態で前記第二フレームに対して前記第二ユニットを着脱可能な第二着脱構造とを備え、前記第一ユニットは、平板状であり且つ前記第一中型が取り付けられた状態で前記第一フレーム内に配置される第一インサイドプレートを有し、前記第一着脱構造は、前記第一フレームの周方向に並べて設けられる複数のロックユニットを有し、該複数のロックユニットは、前記第一フレームに対してスライド可能に挿通され且つ該スライドに伴って前記第一フレーム内に出退可能な可動抜止部であって、前記第一フレーム内に進出した状態で前記第一フレームに対する前記第一インサイドプレートの抜止を行う可動抜止部と、該可動抜止部を前記第一インサイドプレートの外周側面に向けて付勢する付勢構造とを有する成型装置。
【請求項２】
前記付勢構造は、前記可動抜止部に対する付勢力を調整可能に構成されている請求項１に記載の成型装置。
【請求項３】
前記第一ユニットは、前記第一インサイドプレートに対向配置される第一バックプレートと、前記第一インサイドプレートと該第一バックプレートとを連結する複数の連結部材とを有し、該複数の連結部材は、互いの間に間隔をあけて配置された状態で前記第一インサイドプレートの外周部と前記第一バックプレートの外周部とに固定されている請求項２に記載の成型装置。
【発明の詳細な説明】
【技術分野】
【０００１】
本発明は、発泡成型に用いられる成型装置に関する。
【背景技術】
【０００２】
従来、一対の中型を組み合わせて形成したキャビティ内で発泡成型品を製造する成型装置が提供されている。
【０００３】
かかる成型装置は、例えば、特許文献１の図２０に図示されているように、固定盤に取り付けられる第一フレームと、一方の中型が取り付けられた状態で該第一フレームに固定される第一インサイドプレートと、可動盤に取り付けられる第二フレームと、他方の中型が取り付けられた状態で該第二フレームに固定される第二インサイドプレートとを備えている。
【０００４】
従来の成型装置において、異なる発泡成型品を製造する場合は、一対の中型を交換する必要があり、中型の交換作業は次のように行われている。
（１）固定盤に取付けられた第一フレームに対し、可動盤に取付けられた第二フレームを接近させ、第一フレーム及び第二フレームを合わせて中型どうしを組み合せる。
（２）第一フレーム及び第二フレームとともに一対の中型を、固定盤及び可動盤から取り外す。
（３）第一フレーム及び第二フレームに、取り外し前とは異なる種類の中型をそれぞれ取付け、中型どうしを組み合せるよう、第一フレーム及び第二フレームを合わせる。
（４）第一フレーム及び第二フレームを合わせたまま、固定盤及び可動盤に取付ける。
【先行技術文献】
【特許文献】
【０００５】
【特許文献１】特開平１０−６２８号公報
【発明の概要】
【発明が解決しようとする課題】
【０００６】
上記のように、従来の成型装置における中型の交換作業では、固定盤及び可動盤に対する第一フレーム及び第二フレームの着脱作業を含むため、多くの労力を必要とし、作業時間が嵩むという点が指摘されている。
【０００７】
また、第一インサイドプレート、第二インサイドプレートは、それぞれ第一フレームの前面、第二フレームの前面に対して外周全周に亘ってネジ止めされているため、発泡成型時の熱影響で膨張する際、面方向には広がり難い。そのため、従来の成型装置では、第一インサイドプレートや第二インサイドプレートが熱膨張すると面直交方向に撓んでしまい、成型品の厚みにばらつきが生じたり、中型が破損したりする虞があった。
【０００８】
そこで、本発明は、かかる実情に鑑み、中型の交換作業に費やす時間を抑えることができ、且つ中型を取り付けるプレートの撓みを抑えることができる成型装置を提供することを課題とする。
【課題を解決するための手段】
【０００９】
本発明の成型装置は、枠状の第一フレームと、該第一フレームに対して相対的に接離する第二フレームと、第一中型を有する第一ユニットであって、前記第一フレームに出し入れ可能な第一ユニットと、前記第一中型に組み合わされてキャビティを形成する第二中型を有する第二ユニットと、前記第一中型及び前記第二中型を組み合わせて前記第一ユニットと前記第二ユニットとを一つの組品とした組付状態で、前記第一フレームに対して前記第一ユニットを着脱可能な第一着脱構造と、前記組付状態で前記第二フレームに対して前記第二ユニットを着脱可能な第二着脱構造とを備え、前記第一ユニットは、平板状であり且つ前記第一中型が取り付けられた状態で前記第一フレーム内に配置される第一インサイドプレートを有し、前記第一着脱構造は、前記第一フレームの周方向に並べて設けられる複数のロックユニットを有し、該複数のロックユニットは、前記第一フレームに対してスライド可能に挿通され且つ該スライドに伴って前記第一フレーム内に出退可能な可動抜止部であって、前記第一フレーム内に進出した状態で前記第一フレームに対する前記第一インサイドプレートの抜止を行う可動抜止部と、該可動抜止部を前記第一インサイドプレートの外周側面に向けて付勢する付勢構造とを有する。
【００１０】
本発明の成型装置によれば、第一中型及び第二中型を別の種類の第一中型及び第二中型に交換する場合、第一中型と第二中型とが組み合わされるように第一フレームと第二フレームとを接近させて、第一中型と第二中型とを組品とする（すなわち、組付状態とする）。
【００１１】
この状態において、第一着脱構造による第一フレームと第一ユニットとの装着状態を解除して組品を第一フレームから取り外す作業と、第二着脱構造による第二フレームと第二ユニットとの装着状態を解除して組品を第二フレームから取り外す作業とを行うことによって、組品である第一ユニット及び第二ユニットを第一フレーム及び第二フレームから取り外す。
【００１２】
続いて、別の種類の第一中型及び第二中型を備えた第一ユニット及び第二ユニットを組品とし、該組品を第二フレームに取り付けた状態で第二着脱構造により第二ユニットを第二フレームに装着する作業と、該組品を第一フレームに取り付けた状態で第一着脱構造により第一ユニットを第一フレームに固定する作業とを行うことによって、別の種類の第一中型を備えた第一ユニットが第一フレームに取り付けられ、別の種類の第二中型を備えた第二ユニットが第二フレームに取り付けられる。
【００１３】
このように、前記成型装置は、第一ユニットと第二ユニットとを一つの組品とした組付状態において、第一着脱構造による第一フレーム内に対する第一ユニットの装着又は該装着の解除が可能となり、第二着脱構造による第二フレームへの第二ユニットの装着又は該装着の解除が可能となるため、第一ユニットと第二ユニットとを一まとめにして第一フレーム、第二フレームに着脱できる。
【００１４】
また、前記成型装置によれば、第一インサイドプレートを第一フレーム内に対して抜止する可動抜止部が付勢構造により第一インサイドプレートの外周側面に向けて付勢されているため、第一インサイドプレートが面方向に広がるようにして膨張すると、第一インサイドプレートに押付力を作用させたまま、該膨張に合わせてフレームの外側に移動する。従って、前記成型装置は、第一インサイドプレートの面方向での膨張を許容できるため、第一インサイドプレートが面直交方向に撓み難くなっている。
【００１５】
本発明の成型装置において、前記付勢構造は、前記可動抜止部に対する付勢力を調整可能に構成されていてもよい。
【００１６】
かかる構成によれば、付勢構造毎に、可動抜止部に作用させる付勢力、すなわち、可動抜止部の第一インサイドプレートから受けた外力に対する反力を調整できるため、第一インサイドプレートの荷重や、膨張する第一インサイドプレートから受ける押圧力に応じて第一インサイドプレートに対する可動抜止部の押付力を設定することができる。従って、前記成型装置は、各付勢構造の可動抜止部による第一インサイドプレートの固定力を適切な力に設定し易くなる。
【００１７】
また、本発明の成型装置において、前記第一ユニットは、前記第一インサイドプレートに対向配置される第一バックプレートと、前記第一インサイドプレートと該第一バックプレートとを連結する複数の連結部材とを有し、該複数の連結部材は、互いの間に間隔をあけて配置された状態で前記第一インサイドプレートの外周部と前記第一バックプレートの外周部とに固定されていてもよい。
【００１８】
かかる構成によれば、第一インサイドプレートと第一バックプレートとを連結する連結部材が、第一インサイドプレートの外周部の周方向（第一バックプレートの外周部の周方向）において間欠的に設けられているため、前記面方向における第一インサイドプレートに対する連結部材の拘束力を抑えることによっても、第一インサイドプレートの面方向での膨張を許容する効果を得られるようになっている。
【発明の効果】
【００１９】
以上のように、本発明の成型装置は、中型の交換作業に費やす時間を抑えることができ、且つ中型を取り付けるプレートの撓みを抑えることができるという優れた効果を奏し得る。
【図面の簡単な説明】
【００２０】
【図１】図１は、本発明の一実施形態に係る成型装置の斜視図である。
【図２】図２は、同実施形態に係る成型装置の分解斜視図である。
【図３】図３は、同実施形態に係る成型装置の第一フレームの分解斜視図である。
【図４】図４は、同実施形態に係る成型装置の第一ユニットの分解斜視図である。
【図５】図５は、同実施形態に係る成型装置の第一インサイドプレート及び抜止金具の正面拡大図である。
【図６】図６は、図２のＶＩ−ＶＩ線における断面の拡大図である。
【図７】図７において、（ａ）は抜止金具の正面図であり、（ｂ）は抜止金具の側面図である。
【図８】図８は、同実施形態に係る成型装置の断面拡大図であって、図１におけるＶＩＩＩ−ＶＩＩＩ線の断面拡大図である。
【図９】図９は、同実施形態に係る成型装置の第二フレームの分解斜視図である。
【図１０】図１０は、同実施形態に係る成型装置の第二ユニットの分解斜視図である。
【図１１】図１１は、図１のＸＩ−ＸＩ線における断面図である。
【図１２】図１２は、同実施形態に係る成型装置の中型交換方法の説明図であって、（ａ）は成型装置を型開きしている状態の説明図であり、（ｂ）は第一中型と第二中型とを組み合わせた状態の説明図であり、（ｃ）は第一ユニット及び第二ユニットを第二フレームから取り外した状態の説明図である。
【図１３】図１３は、同実施形態に係る成型装置の中型交換方法の説明図であって、（ａ）は第一ユニットと第二ユニットとを組み合わせて連結しようとしている状態の説明図であり、（ｂ）は第一ユニットと第二ユニットとを第二フレームに取り付けた状態の説明図である。
【図１４】図１４は、同実施形態に係る成型装置の中型交換方法の説明図であって、（ａ）は第一ユニットと第二ユニットとの連結を解除している状態の説明図であり、（ｂ）は、中型の交換作業が完了した状態の説明図である。
【図１５】図１５は、同実施形態に係る成型装置において、成型時に第一インサイドプレートが面方向で膨張した状態の説明図である。
【発明を実施するための形態】
【００２１】
以下、本発明の一実施形態に係る成型装置について、添付図面を参照しつつ説明を行う。なお、本実施形態では、成型装置と、該成型装置を開閉するための型締装置とを備える成型機について説明を行うこととする。また、本実施形態では、型締装置が所定の位置に固定される固定盤と、該固定盤に接離可能に構成される可動盤とを備えることを前提に以下の説明を行うこととする。
【００２２】
成型装置は、図１に示すように、固定盤に取り付けられる第一型２（以下、固定型２と称する）と、可動盤に取り付けられる第二型３（以下、可動型３と称する）とを備えている。すなわち、成型装置１は、所定の位置に固定される固定型２と、該固定型２に対して接離する可動型３とを備えている。なお、本実施形態では、固定型２と可動型３とが接離する方向を接離方向と称し、固定型２及び可動型３の高さに対応する方向を縦方向と称し、固定型２及び可動型３の横幅に対応する方向（すなわち、前記接離方向及び前記縦方向のそれぞれに直交する方向）を横幅方向と称する。
【００２３】
固定型２は、図２に示すように、固定盤に固定される枠状の第一フレーム２０と、第一中型Ｍ１を有する第一ユニット２１であって、前記第一フレーム２０に出し入れ可能な第一ユニット２１と、前記第一フレーム２０に前記第一ユニット２１を着脱可能な第一着脱構造２２と、成型に用いる蒸気を第一フレーム２０内に供給する第一蒸気供給部２３と、第一ユニット２１の第一中型Ｍ１を冷却するための冷却水を流通させる第一冷却配管系２４と、可動型３の後述する第二フレームとの位置決めをするための第一位置決部２５とを有する。
【００２４】
第一フレーム２０は、図３に示すように、枠状の第一フレーム本体２００と、該第一フレーム本体２００と固定盤とに挟み込まれるシールプレート２０１とを有する。
【００２５】
第一フレーム本体２００は、角環状であり、可動型３に対向する前面と、該前面とは反対側の背面とを有する。また、第一フレーム本体２００の前面は、段状に形成されており、外周側の領域が最前面となり、内周側の領域がこの外周側の領域に対して背面側にずれた位置に形成されている。
【００２６】
本実施形態に係る第一フレーム本体２００は、前記横幅方向で互いに対向する一対の側壁部２０２と、該一対の側壁部２０２のそれぞれに連続するとともに前記縦方向で対向する一対の接続壁部２０３とを有する。
【００２７】
なお、本実施形態に係る側壁部２０２、及び接続壁部２０３には、内外に亘って（第一フレーム２０の外面と内面とに割って）貫通する複数の可動孔２０４が形成されている。
【００２８】
シールプレート２０１は、角環状に形成されている。より具体的に説明すると、シールプレート２０１は、側壁部２０２の全長に亘って密接する一対の縦板部２０１ａと、該一対の縦板部２０１ａのそれぞれに連続し且つ接続壁部２０３の全長に亘って密接する一対の横板部２０１ｂとを有し、該一対の縦板部２０１ａと該一対の横板部２０１ｂとが互いに連続することによって角環状となっている。
【００２９】
また、シールプレート２０１は、第一フレーム本体２００の背面に固定されている。そのため、シールプレート２０１は、全周に亘って第一フレーム本体２００の背面に密接している。なお、シールプレート２０１と第一フレーム本体２００との間には、該シールプレート２０１と第一フレーム本体２００との間の隙間を塞ぐためのシール部材が配置されている。
【００３０】
第一ユニット２１は、図４に示すように、平板状であり且つ第一中型Ｍ１が取り付けられる第一インサイドプレート２１０と、第一インサイドプレート２１０と間隔をあけて対向するように配置される第一バックプレート２１１と、第一インサイドプレート２１０と第一バックプレート２１１とを連結する連結部材２１２と、第一中型Ｍ１と第一バックプレート２１１とに当接するように設置される補強部材２１３と、第一インサイドプレート２１０と第一バックプレート２１１との間に設置される筒状のガイドパイプ２１４とを有する。
【００３１】
なお、本実施形態に係る第一インサイドプレート２１０は、四つの第一中型Ｍ１が取り付けられるように構成されており、第一中型Ｍ１としてキャビ型が取り付けられている。
【００３２】
第一インサイドプレート２１０は、正面視における形状が矩形状となっている。そして、第一インサイドプレート２１０は、第一バックプレート２１１に対向する内面と、可動型３に対向する外面とを有し、該内面の外周縁部全体が第一フレーム本体２００に密接している。
【００３３】
また、図５に示すように、第一ユニット２１が第一フレーム２０に装着されている状態において、第一インサイドプレート２１０は、外周側面と第一フレーム２０の内周面との間に隙間が形成されるように構成されている。
【００３４】
また、第一インサイドプレート２１０は、内面が第一フレーム本体２００の前面のうちの内周側の領域に当接するように配置されており、第一フレーム本体２００の外周側の部分に取り囲まれた状態になっている。そして、第一インサイドプレート２１０の外周側端と、第一フレーム本体２００の外周側の部分との間には、隙間が形成されている。
【００３５】
第一インサイドプレート２１０の外周端部には、内側に向けて凹状となる配置用凹部２１０ａが複数形成されている。この配置用凹部２１０ａは、第一インサイドプレート２１０の辺部のそれぞれに対して複数形成されている。
【００３６】
第一バックプレート２１１は、正面視における形状が矩形状となっている。また、第一バックプレート２１１は、第一インサイドプレート２１０に対向する内面と、該内面とは反対側の外面とを有する。第一ユニット２１が第一フレーム２０に装着されている状態において、第一バックプレート２１１の外面の外周縁部は、全周に亘ってシールプレート２０１の背面に密接する。
【００３７】
連結部材２１２は、平板状の部材で構成されている。そして、連結部材２１２は、第一インサイドプレート２１０の内面に当接する一端と、第一バックプレート２１１の内面に当接する他端とを有する。また、連結部材２１２の一端は、第一インサイドプレート２１０に固定され、連結部材２１２の他端は、第一バックプレート２１１に固定されている。
【００３８】
連結部材２１２は、長方形状に形成されており、長手方向における一端面が前記第一インサイドプレート２１０の内面に固定され、長手方向における他端面が第一バックプレート２１１の内面に固定されている。
【００３９】
本実施形態では、複数の連結部材２１２によって、第一インサイドプレート２１０の外周部と、第一バックプレート２１１の外周部とが連結されている。より具体的に説明すると、第一インサイドプレート２１０の内面の外周部と第一バックプレート２１１の内面の外周部との間には、互いに間隔をあけて並ぶように複数の連結部材２１２が配置されており、該複数の連結部材２１２により第一インサイドプレート２１０と第一バックプレート２１１とが連結されている。
【００４０】
補強部材２１３は、第一中型Ｍ１の外面（第一フレーム２０内に露出している面）に固定されており、該第一中型Ｍ１の外面から第一バックプレート２１１に向かって真っ直ぐに延びるようにして設けられている。そのため、補強部材２１３は、成型時に第一中型Ｍ１の内面が圧力を受けたときに、該第一中型Ｍ１を第一バックプレート２１１に対して支持するように構成されている。なお、図４には、便宜上一つの補強部材２１３しか図示していないが、各第一中型Ｍ１のそれぞれには、個別の補強部材２１３が設けられている。
【００４１】
ガイドパイプ２１４は、軸線方向における一端側の開口が第一バックプレート２１１の外面で開放し、軸線方向における他端側の開口が第一インサイドプレート２１０の外面で開放するように構成されている。ガイドパイプ２１４の内部には、長尺なボルトであるセットボルトＳＢが挿通可能である。
【００４２】
本実施形態では、第一バックプレート２１１の外縁部と第一インサイドプレート２１０の外縁部との間に複数のガイドパイプ２１４が設置されている。より具体的には、第一バックプレート２１１の四隅と第一インサイドプレート２１０の四隅との間のそれぞれにガイドパイプ２１４が配置されている。
【００４３】
第一着脱構造２２は、図５に示すように、第一フレーム２０の周方向に並べて設けられる複数のロックユニット２６と、該ロックユニット２６と協働して第一インサイドプレート２１０を第一フレーム２０に対して抜止する複数の抜止金具２７とで構成されている。
【００４４】
ロックユニット２６は、図６に示すように、第一フレーム２０の外面上に設けられるベース部２６０と、第一フレーム２０に対してスライド可能に挿通され且つ該スライドに伴って第一フレーム２０内に出退可能な可動抜止部２６１であって、第一フレーム２０内に進出した状態で第一フレーム２０に対する第一インサイドプレート２１の抜止を行う可動抜止部２６１と、該可動抜止部２６１を前記第一インサイドプレート２１０の外周側面に向けて付勢する付勢構造２６２とを有する。
【００４５】
ベース部２６０は、第一フレーム２０の外面（第一フレーム本体２００の外周面）に立設される一対の台部２６０ａと、該一対の台部２６０ａのそれぞれに架け渡されるベース本体部２６０ｂとを有している。また、ベース本体部２６０ｂには、可動抜止部２６１と対応する位置に逃孔２６０ｃが形成されている。
【００４６】
可動抜止部２６１は、軸状であり、先端部が前記第一フレーム２０内に出退可能となるようにして前記第一フレーム２０に挿通されるロッド部２６１ａと、該ロッド部２６１ａの外周面全周から外方（径方向外方）に向けて延出するフランジ部２６１ｂであって、前記第一フレーム２０の外面側に配置されるフランジ部２６１ｂと、ロッド部２６１ａを付勢構造２６２に取り付けるための取付部２６１ｃとを有する。
【００４７】
ロッド部２６１ａは、先端側の抜止軸部２６１ａａと、基端側を被ガイド軸部２６１ａｂとを有する。
【００４８】
抜止軸部２６１ａａは、第一フレーム２０の可動孔２０４にスライド可能に挿通されており、第一フレーム２０に対してスライドするに伴い、軸線方向における一端部（先端部）が第一フレーム２０の内部（第一フレーム２０の内面よりも内側）に出退するように構成されている。また、抜止軸部２６１ａａの先端部は、先端に向かうにつれて外径が小さくなっている。なお、本実施形態では、抜止軸部２６１ａａの先端部が円錐状に形成されている。
【００４９】
被ガイド軸部２６１ａｂは、抜止軸部２６１ａａの基端から延出しており、具体的には、抜止軸部２６１ａａの基端から抜止軸部２６１ａａの軸線方向と同方向に沿って真っ直ぐに延出している。なお、図示していないが、被ガイド軸部２６１ａｂには、先端面で開口するネジ孔が形成されている。
【００５０】
取付部２６１ｃは、軸状であり外面にネジ山が形成された雄ネジ部と、該雄ネジ部の一端に連設された頭部とを有する。頭部の外径は、雄ネジ部及び圧縮部の後述する貫通孔の孔径よりも大きくなっている。なお、取付部２６１ｃは、フランジボルトで構成したり、ボルトとワッシャーとで構成したりしてもよい。
【００５１】
なお、本実施形態では、一つのロックユニット２６に対して二つの可動抜止部２６１が設けられている。
【００５２】
付勢構造２６２は、可動抜止部２６１を付勢する付勢部材２６２ａと、該付勢部材２６２ａによる可動抜止部２６１の付勢力を調整する調整部２６２ｂとを有する。
【００５３】
付勢部材２６２ａは、圧縮バネで構成されている。また、付勢部材２６２ａには、被ガイド軸部２６１ａｂが挿通されており、付勢部材２６２ａの伸縮方向における一端がフランジ部２６１ｂをバネ座として、これに当接している。また、付勢部材２６２ａは、二つの可動抜止部２６１のそれぞれに対して一つずつ設けられている。
【００５４】
調整部２６２ｂは、前記付勢部材２６２ａを圧縮するための圧縮部２６２ｃであって、ロッド部２６１ａ（被ガイド軸部２６１ａｂ）が挿通される貫通孔２６２ｄが形成された圧縮部２６２ｃと、該圧縮部２６２ｃと前記フランジ部２６１ｂとの間隔を調整するための位置変更部２６２ｅとを備えている。
【００５５】
位置変更部２６２ｅは、ベース本体部２６０ｂに設けられており、圧縮部２６２ｃをフランジ部２６１ｂ側（第一フレーム２０側）に向けて押込可能な構造となっている。そのため、圧縮部２６２ｃとフランジ部２６１ｂとの間隔は、位置変更部２６２ｅによる圧縮部２６２ｃの押込量により調整される。なお、位置変更部２６２ｅは、ベース本体部２６０ｂに螺合されたボルトであり、先端部がベース本体部２６０ｂよりも圧縮部２６２ｃ側に進出するように構成されている。
【００５６】
本実施形態に係るロックユニット２６は、第一フレーム２０の外面に対して離間する方向に向けて圧縮部２６２ｃを付勢する位置決補助部２６２ｆをさらに有する。また、圧縮部２６２ｃは、位置決補助部２６２ｆと位置変更部２６２ｅとに挟み込まれるため、フランジ部２６１ｂに対する位置が変わり難くなっている。
【００５７】
圧縮部２６２ｃは、板状に形成されており、一方の板面がフランジ部２６１ｂに対向するように配置されている。そのため、本実施形態では、付勢部材２６２ａが圧縮部２６２ｃとフランジ部２６１ｂとに挟み込まれている。
【００５８】
圧縮部２６２ｃの貫通孔２６２ｄの内径は、被ガイド軸部２６１ａｂの外径よりも僅かに大きくなっており（被ガイド軸部２６１ａｂが自身の軸心方向に沿って往復動できるサイズに設定されており）、さらに、取付部２６１ｃの頭部の外径よりも小さくなっている。そのため、圧縮部２６２ｃは、被ガイド軸部２６１ａｂに対して相対移動可能であるとともに、取付部２６１ｃによって被ガイド軸部２６１ａｂに対して抜止されている。
【００５９】
抜止金具２７は、図７（ａ）、及び図７（ｂ）に示すように、第一インサイドプレート２１０の前面に当接するように配置される当接配置部２７０と、該当接配置部２７０に連設され且つ配置用凹部２１０ａに嵌め込まれる嵌込部２７１とを有する。
【００６０】
また、抜止金具２７の外側面には、前記接離方向に沿って延びる抜止用凹部２７２が形成されている。抜止用凹部２７２は、図７（ｂ）に示すように、抜止金具２７の外側面において、前面から背面に向かって延びるように形成されており、抜止用凹部２７２の開放端は抜止金具２７の前面に対応する位置に形成され、抜止用凹部２７２の終端は抜止金具２７の厚み方向における途中位置に形成されている。
【００６１】
本実施形態に係る抜止用凹部２７２は、当接配置部２７０の外側面に形成される第一凹部２７２ａと、該第一凹部２７２ａに連続し且つ嵌込部２７１の外側面に形成される第二凹部２７２ｂとで構成されている。
【００６２】
第一凹部２７２ａは、前記接離方向に沿って真っ直ぐに延びる凹溝である。また、第一凹部２７２ａは、底部側になるにつれて徐々に溝幅が狭くなるように形成されている（本実施形態では、Ｖ字状）。
【００６３】
第二凹部２７２ｂは、第一凹部２７２ａから前記接離方向に沿ってさらに延びており、終端が嵌込部２７１の厚み方向における途中位置に形成されている。また、第二凹部２７２ｂの終端を画定する面は、湾曲しており、底部側になるにつれて徐々に曲率が小さくなるように形成されている。
【００６４】
第一蒸気供給部２３は、図１に示すように、一対の接続壁部２０３のうちの上方に配置される接続壁部２０３の一部で構成されている。そして、この接続壁部２０３には、内外に亘って貫通する導入孔２３０が形成されている。なお、第一蒸気供給部２３から第一フレーム２０内に蒸気を供給する場合は、例えば、蒸気を流通させる管路を第一蒸気供給部２３に接続し、導入孔２３０を通じて第一フレーム２０内に蒸気が供給されるようにしてもよい。なお、本実施形態では、接続壁部２０３に対して複数の第一蒸気供給部２３が設けられている。
【００６５】
第一冷却配管系２４は、図８に示すように、第一フレーム２０に取り付けられる第一給水部２４０と、該第一給水部２４０に対して流体的に接続され且つ第一ユニット２１に取り付けられる第一配水部２４１とを有する。
【００６６】
第一給水部２４０は、第一フレーム２０の外面に固定される第一フランジ部２４０ａと、該第一フランジ部２４０ａ及び接続壁部２０３に貫設された第一給水管２４０ｂとを有する。第一給水管２４０ｂは、筒状であり、一方の開口端が第一フランジ部２４０ａ内に配置される一方で、他方の開口端２４０ｃが接続壁部２０３よりも内側に突出している。
【００６７】
さらに、本実施形態に係る第一給水管２４０ｂの他方の開口端２４０ｃは、傾斜するように形成されている。具体的には、第一給水管２４０ｂの他方の開口端２４０ｃは、シールプレート２０１側になるにつれて下方に向かうように傾斜した形状となっている。
【００６８】
第一配水部２４１は、第一バックプレート２１１と第一インサイドプレート２１０との間に配置される配水管路部２４１ａと、該配水管路部２４１ａと第一給水管２４０ｂとを接続するためのジョイント部２４１ｂとを有する。なお、第一配水部２４１は、第一ユニット２１の第一中型Ｍ１の種類に合わせて第一バックプレート２１１と第一インサイドプレート２１０との間に予め組み込まれている。
【００６９】
配水管路部２４１ａには、複数のノズルが取り付けられており、各ノズルが第一中型Ｍ１に向けて（第一インサイドプレート２１０側に向けて）冷却水を噴射するように構成されている。
【００７０】
ジョイント部２４１ｂは、第一ユニット２１が第一フレーム２０内に収容されたときに、第一給水部２４０と対応する位置に設置されている。また、ジョイント部２４１ｂには、第一バックプレート２１１側になるにつれて下方に向かうように傾斜する傾斜面２４１ｃが形成されている。そのため、第一冷却配管系２４は、第一ユニット２１が第一フレーム２０内に収容されると、第一給水管２４０ｂの他方の開口端２４０ｃと、ジョイント部２４１ｂの傾斜面２４１ｃとが互いに当接（密接）するように構成されている。
【００７１】
第一位置決部２５は、図１に示すように、側壁部２０２の外面から突出するように形成されており、後述する第二フレームに向かって開口する挿込凹部２５０が形成されている。
【００７２】
可動型３は、図２に示すように、第一フレーム２０に対して相対的に接離する第二フレーム３０と、前記第一中型Ｍ１に組み合わされてキャビティを形成する第二中型Ｍ２を有する第二ユニット３１と、前記組付状態で前記第二フレーム３０に該第二ユニット３１を着脱可能な第二着脱構造３２と、第一中型Ｍ１と第二中型Ｍ２とで形成したキャビティ内に供給する蒸気を第二フレーム３０内に供給するための第二蒸気供給部３３と（図１参照）、第二ユニット３１の第二中型Ｍ２を冷却するための冷却水を供給するための第二冷却配管系３４と、第二フレーム３０と第二ユニット３１とを位置決めする位置決構造３５と、第一フレーム２０に対して位置決めする第二位置決部３６とを有する。
【００７３】
第二フレーム３０は、図９に示すように、枠状の第二フレーム本体３００と、該第二フレーム本体３００と固定盤とに挟み込まれる第二バックプレート３０１と、該第二バックプレート３０１との間に間隔をあけて配置される受板３０２と、第二バックプレート３０１と受板３０２との間に配置される第二補強部材３０３とを有する。
【００７４】
第二フレーム本体３００は、角環状であり、固定型２に対向する前面と、第二バックプレート３０１に対向する背面とを有する。本実施形態に係る第二フレーム本体３００は、前記横幅方向で並ぶ一対の縦枠部３００ａと、該一対の縦枠部３００ａのそれぞれに連続するとともに前記縦方向で並ぶ一対の横枠部３００ｂとを有する。
【００７５】
第二バックプレート３０１は、可動盤と第二フレーム本体３００との間に配置されており、可動盤に当接する外面と第二フレーム本体３００の背面に当接する内面とを有する。本実施形態に係る第二バックプレート３０１は、平板状であり、内面の外周縁部全周が第二フレーム本体３００に密接するように構成されている。なお、第二バックプレート３０１と第二フレーム本体３００との間には、該第二バックプレート３０１と第二フレーム本体３００との間の隙間を塞ぐためのシール部材が配置されている。
【００７６】
受板３０２は、第二フレーム本体３００の前面に取り付けられており、第二フレーム本体３００内に向けて配置される内面と、第二ユニット３１に対向する外面とを有する。また、受板３０２には、前記縦方向及び前記横幅方向に等間隔又は略等間隔で整列するように複数の貫通孔２６２ｄ（以下、噴射孔３０２ａという）が形成されている。
【００７７】
第二補強部材３０３は、前記縦方向に真っ直ぐに延びた形状であり、受板３０２の内面に当接する一端と、第二バックプレート３０１の内面に当接する他端とを有する。また、本実施形態では、受板３０２と第二バックプレート３０１との間に複数の第二補強部材３０３が配置されている。さらに、複数の第二補強部材３０３のそれぞれは、前記横幅方向で互いの間に間隔を空けて並ぶように配置されている。
【００７８】
第二ユニット３１は、第二フレーム本体３００の前面に取り付けられるように構成されている。本実施形態に係る第二ユニット３１は、図１０に示すように、第二中型Ｍ２が取り付けられる第二インサイドプレート３１０と、該第二インサイドプレート３１０の外周縁部全周に亘って密接するように形成された枠状のアダプタフレーム３１１と、インサイドプレートを補強するための受圧部材３１２と、第二インサイドプレート３１０に取り付けられた位置決用固定部３１３とを有する。
【００７９】
第二インサイドプレート３１０は、第二フレーム３０側に配置される内面と、該内面とは反対側の外面とを有する。また、第二インサイドプレート３１０の内面の外周縁部は、全周に亘って第二フレーム本体３００に密接している。
【００８０】
さらに、第二インサイドプレート３１０には、ねじ孔である取付孔３１０ａが複数形成されている。本実施形態では、第二インサイドプレート３１０の前記横幅方向における中央部に対して、前記縦方向に沿って並ぶように複数の取付孔３１０ａが形成されており、また、第二インサイドプレート３１０の前記縦方向における中央部に対して、前記横幅方向に沿って並ぶように複数の取付孔３１０ａが形成されている。
【００８１】
なお、本実施形態に係る第二インサイドプレート３１０には、四つの第二中型Ｍ２が取り付けられるように構成されており、第二中型Ｍ２としてコア型が取り付けられている。
【００８２】
アダプタフレーム３１１は、前記縦方向に沿って延びた形状であり且つ互いに平行である一対の縦辺部３１１ａと該一対の縦辺部３１１ａのそれぞれに連続し且つ前記横幅方向で互いに平行である一対の横辺部３１１ｂとを有する。
【００８３】
受圧部材３１２は、柱上（本実施形態では円柱上）に形成されており、軸線方向における一端が受板３０２に固定されている。本実施形態では、受圧部材３１２が取付孔３１０ａに螺合されている。
【００８４】
また、受圧部材３１２は、軸線方向における他端が受板３０２の外面に当接するように構成されている。すなわち、受圧部材３１２は、受板３０２の外面上で第二インサイドプレート３１０を支えることによって、該第二インサイドプレート３１０の撓みを抑えるように構成されている。
【００８５】
第二インサイドプレート３１０と受板３０２との間には、複数の受圧部材３１２が設置されており、受圧部材３１２に取り付ける受圧部材３１２の数や配置は、第二中型Ｍ２の種類に応じて決めればよい。
【００８６】
位置決用固定部３１３は、第二インサイドプレート３１０の四隅のそれぞれに設けられており、前記接離方向においてガイドパイプ２１４と対応する位置に配置されている。また、位置決用固定部３１３には、ガイドパイプ２１４に挿通したセットボルトＳＢの先端部を螺合可能なねじ孔（採番しない）が形成されている。
【００８７】
第二着脱構造３２は、図１１に示すように、第二フレーム３０に取り付けられる連結操作部３２０と、第二ユニット３１に設けられ、該連結操作部３２０により第二フレーム３０に固定可能な被連結部３２１とを有する。
【００８８】
連結操作部３２０は、第二フレーム３０の外周面上に固定される取付ベース部３２０ａと、該取付ベース部３２０ａに対して回転可能に取り付けられた回転操作部３２０ｂと、該回転操作部３２０ｂに取り付けられ且つ被連結部３２１を引き留めるように構成される引留部３２０ｃとを有する。
【００８９】
回転操作部３２０ｂは、第二フレーム３０と第二ユニット３１とを固定した状態と、第二フレーム３０と第二ユニット３１との固定を解除した状態とに切り替えるための操作部である。回転操作部３２０ｂは、取付ベース部３２０ａから延出するように形成されており、取付ベース部３２０ａに対する回転により先端部を第二ユニット３１側に配置した状態と、先端部を第二ユニット３１側から離れた位置に配置した状態とに切り替え可能である。
【００９０】
引留部３２０ｃは、回転操作部３２０ｂの先端部に取り付けられており、回転操作部３２０ｂの先端部よりも外径が大きくなるように形成されている。
【００９１】
被連結部３２１は、第二フレーム本体３００に取り付けられており、回転操作部３２０ｂを嵌込可能な嵌込凹部３２１ａが形成されている。なお、嵌込凹部３２１ａは、回転操作部３２０ｂの外径と同等又は略同等の大きさとなるように形成されている。
【００９２】
本実施形態に係る第二着脱構造３２では、連結操作部３２０が第二フレーム本体３００の縦枠部３００ａと横枠部３００ｂとに取り付けられている。これに伴い、第二着脱構造３２では、被連結部３２１がアダプタフレーム３１１の縦辺部３１１ａと横辺部３１１ｂとに取り付けられている。
【００９３】
第二蒸気供給部３３は、図９に示すように、一対の横枠部３００ｂのうちの上方に配置される横枠部３００ｂの一部で構成されており、横枠部３００ｂの内外に亘って貫通する流通孔３３０が形成されている。なお、第二蒸気供給部３３から第二フレーム３０内に蒸気を供給する場合は、例えば、蒸気を流通させる管路を第二蒸気供給部３３に接続し、流通孔３３０を通じて第二フレーム３０内に蒸気が供給されるようにすればよい。なお、本実施形態では、横枠部３００ｂに対して複数の第二蒸気供給部３３が設けられている。
【００９４】
第二冷却配管系３４は、第二フレーム３０に取り付けられる第二給水部３４０と、該第二給水部３４０に対して流体的に接続され且つ第二フレーム３０内に設置される第二配水部３４１とを有する。
【００９５】
第二給水部３４０は、横枠部３００ｂに貫設される管状の第二給水管３４０ａを有する。第二給水管３４０ａは、横枠部３００ｂに貫設されている。
【００９６】
第二配水部３４１は、第二バックプレート３０１と受板３０２との間に配置される配水管路部３４１ａを有する。配水管路部３４１ａには、複数のノズルＮが取り付けられており、各ノズルＮが第二中型Ｍ２に向けて（第二インサイドプレート３１０側に向けて）冷却水を噴射するように構成されている。各ノズルＮは、受板３０２の噴射孔３０２ａに対応して前記縦方向及び前記横幅方向に等間隔又は略等間隔で整列するように並んでいる。
【００９７】
位置決構造３５は、図１０に示すように、第二フレーム本体３００からアダプタフレーム３１１側に突出するように設けられた位置決ブッシング３５０と、アダプタフレーム３１１に形成される位置決凹部３５１であって、位置決ブッシング３５０を嵌込可能な位置決凹部３５１とで構成されている。
【００９８】
位置決ブッシング３５０は、第二フレーム本体３００とアダプタフレーム３１１とを突き合わせた際に、位置決凹部３５１内に嵌り込むように構成されている。また、位置決ブッシング３５０は、上端が先鋭となるように形成されており、位置決凹部３５１は、位置決ブッシング３５０に対応した形状となっている。
【００９９】
第二位置決部３６は、図１に示すように、横枠部３００ｂの外面から突出するように設けられており、前記接離方向において第一位置決部２５と対応する位置に配置されている。また、第二位置決部３６には、第一フレーム２０に向けて突出し且つ挿込凹部２５０に挿込可能である位置決ピン３６０が設けられている。
【０１００】
本実施形態に係る成型装置１の説明は、以上の通りである。続いて、成型装置１の中型交換方法の説明を行う。
【０１０１】
本実施形態に係る成型装置１の中型交換方法は、第一中型Ｍ１を有する第一ユニット２１が第一フレーム２０に固定され、第二中型Ｍ２を有する第二ユニット３１が第二フレーム３０に固定された状態で、前記第一中型Ｍ１に前記第二中型Ｍ２が組み合わされるように前記第一フレーム２０に前記第二フレーム３０を移動させる連結工程と、前記第一中型Ｍ１及び前記第二中型Ｍ２を組み合せて前記第一ユニット２１及び前記第二ユニット３１を組品とした状態で、該組品を前記第一フレーム２０と前記第二フレーム３０とから取外す取外工程と、前記第一中型Ｍ１とは異なる種類の交換用第一中型Ｍ１を有する交換用第一ユニット２１、及び前記第二中型Ｍ２とは異なる種類の交換用第二中型Ｍ２を備えた交換用第二ユニット３１どうしを、前記交換用第一中型Ｍ１及び前記交換用第二中型Ｍ２を組み合せた状態として交換用組品を準備する準備工程と、前記交換用組品を前記第一フレーム２０に取り付けて、第一着脱構造２２により前記第一ユニット２１を前記第一フレーム２０に固定し、前記交換用組品を前記第二フレーム３０に取り付けて、第二着脱構造３２により前記第二ユニット３１を前記第二フレーム３０に固定する組付工程とを備えている。
【０１０２】
なお、本実施形態では、第一中型Ｍ１及び第二中型Ｍ２を組み合せて第一ユニット２１及び第二ユニット３１を組品とした状態を組付状態と称し、該組品をばらした状態（第一中型Ｍ１及び第二中型Ｍ２を分離させた状態）を分離状態と称して以下の説明を行う場合がある。
【０１０３】
連結工程では、図１２（ａ）から図１２（ｂ）にかけて示すように、型締装置Ｄを型閉じして第一中型Ｍ１と第二中型Ｍ２とを組み合わせた後に、第一ユニット２１と第二ユニット３１とを連結して一体化して組品を構成する。そして、セットボルトＳＢをガイドパイプ２１４に挿通した後に位置決用固定部３１３に螺合させる。なお、図１２（ｂ）では、便宜上、固定盤Ｄ１を図示していない。
【０１０４】
取外工程では、第一着脱構造２２による第一ユニット２１と第一フレーム２０との固定を解除し、可動盤Ｄ２を固定盤Ｄ１から離間させる。このようにすると、第一フレーム２０から組品が取り外される。
【０１０５】
そして、第二着脱構造３２による第二ユニット３１と第二フレーム３０との固定を解除した後に、図１２（ｃ）に示すように、第一ユニット２１と第二ユニット３１を一体にしたままホイストクレーン等の吊上装置Ｗで吊り上げて、第一ユニット２１及び第二ユニット３１（すなわち、組品）を第二フレーム３０から取り外す。
【０１０６】
準備工程では、型締装置Ｄから取り外した第一ユニット２１とは別の交換用第一ユニット２１と、型締装置Ｄから取り外した第二ユニット３１とは別の交換用第二ユニット３１とを一体に連結する。より具体的には、図１３（ａ）に示すように、交換用第一ユニット２１の交換用第一中型Ｍ１と交換用第二ユニット３１の交換用第二中型Ｍ２とを組み合わせた後に、交換用第一ユニット２１と交換用第二ユニット３１とを連結する。
【０１０７】
このようにして、交換用第一ユニット２１と交換用第二ユニット３１とで交換用組品を構成した後に組付工程を行う。組付工程では、図１３（ｂ）に示すように、交換用組品を吊上装置Ｗで吊り上げて第二フレーム３０に取り付ける。そして、第二着脱構造３２により第二ユニット３１と第二フレーム３０とを固定する。
【０１０８】
さらに、可動盤Ｄ２を固定盤Ｄ１に接近させて第一フレーム２０に交換用第一ユニット２１を嵌め込む。なお、第一フレーム２０に交換用第一ユニット２１を嵌め込むにあたっては、位置変更部２６２ｅを緩めて圧縮部２６２ｃを第一フレーム２０から離間させ、抜止軸部２６１ａａの先端部を第一フレーム２０の内部から退避させておく。
【０１０９】
そして、第一フレーム２０に交換用第一ユニット２１が嵌め込まれるに伴い、第一フレーム２０に取り付けられている第二給水部３４０と交換用第一ユニット２１に取り付けられている第二配水部３４１とが流体的に接続される。
【０１１０】
この状態で、第一着脱構造２２によって交換用第一ユニット２１と第一フレーム２０とを固定する。交換用第一ユニット２１と第一フレーム２０とを固定するには、位置変更部２６２ｅを締め込んで圧縮部２６２ｃを第一フレーム２０に接近させ、図６に示すように、抜止軸部２６１ａａの先端部を第一フレーム２０の内部に進出させる。このようにすると、抜止軸部２６１ａａの先端部の背面側の部分と、抜止金具２７における抜止用凹部２７２の第二凹部２７２ｂを画定する内面とが係合し合うため、第一インサイドプレート２１０が各ロックユニット２６の可動抜止部２６１によって背面側に押し付けられる。
【０１１１】
そして、図１４（ａ）に示すように、交換用第一ユニット２１及び交換用第二ユニット３１からセットボルトＳＢを取り外し、図１４（ｂ）に示すように、可動盤Ｄ２を固定盤Ｄ１から離間させて交換用第一ユニット２１から交換用第二ユニット３１を離間させる。
【０１１２】
このようにして、既設の第一ユニット２１及び第二ユニット３１を別の種類の第一ユニット２１及び第二ユニット３１に交換することができる。
【０１１３】
以上のように、本実施形態に係る成型装置１によれば、第一ユニット２１と第二ユニット３１とを一つの組品とした状態で、第一着脱構造２２が第一ユニット２１及び第一フレーム２０を固定した状態と第一ユニット２１及び第一フレーム２０の固定を解除した状態とに切替可能とし、且つ第二着脱構造３２が第二ユニット３１及び第二フレーム３０を固定した状態と第二ユニット３１及び第二フレーム３０の固定を解除した状態とに切替可能とすることで、第一フレーム２０及び第二フレーム３０に第一ユニット２１及び第二ユニット３１を交換できるようになっている。
【０１１４】
従って、固定盤Ｄ１及び可動盤Ｄ２に対する第一フレーム２０及び第二フレーム３０の着脱を行うことなく、第一中型Ｍ１を備える第一ユニット２１及び第二中型Ｍ２を備える第二ユニット３１を交換することができるため、中型（第一中型Ｍ１及び第二中型Ｍ２）の交換作業に要する時間を抑えることができるという優れた効果を奏し得る。
【０１１５】
また、第一着脱構造２２の調整部２６２ｂと、第二着脱構造３２の回転操作部３２０ｂとは、第一フレーム２０と第二フレーム３０とが接離する方向における第一ユニット２１と第二ユニット３１との間の領域から外れた位置、すなわち、第一フレーム２０の外周面と、第二フレーム２０の外周面とにそれぞれ配置されているため、第一ユニット２１と第二ユニット３１とを組品とした状態においても、調整部２６２ｂを操作して第一フレーム２０と第一ユニット２１との固定及び固定の解除を行うことができ、また、回転操作部３２０ｂを操作して第二フレーム３０と第二ユニット３１との固定及び固定の解除を行うことができる。
【０１１６】
従って、第一中型Ｍ１と第二中型Ｍ２とを組み合わせたまま、第一フレーム２０に対する第一ユニット２１の着脱と、第二フレーム３０に対する第二ユニット３１の着脱を行うことができる。
【０１１７】
さらに、成型装置１では、第一フレーム２０に第一ユニット２１が収容されるとともに中型に合わせて構築されている第一給水部２４０が第一配水部２４１に流体的に接続されるため、第一給水部２４０と第一配水部２４１との接続に要する時間を抑えることができる。
【０１１８】
しかも、第一ユニット２１の第一中型Ｍ１の種類に合わせて第一バックプレート２１１と第一インサイドプレート２１０との間に予め第一配水部２４１を組み込むことができるため、第一中型Ｍ１を効率よく冷却できるように第一配水部２４１を配置しておくことができる。
【０１１９】
一方、第二配水部３４１は、第二フレーム３０に常設されているが、冷却水を噴射する複数のノズルＮが第二フレーム３０に均等又は略均等な分布で配置されているため、第二ユニット３１を交換して第二中型Ｍ２の種類が変わったとしても、効率良く第二中型Ｍ２を冷却することができ、また、第二配水部３４１を中型に合わせて設置し直す手間を省くこともできる。
【０１２０】
また、本実施形態に係る成型装置では、第一インサイドプレート２１０を第一フレーム２０に対して抜止する可動抜止部２６１が付勢部材２６２ａにより第一インサイドプレート２１０の外周側面に向けて付勢されているため、第一インサイドプレート２１０が面方向に広がるようにして膨張すると、図１５に示すように、可動抜止部２６１が抜止金具２７とともに第一インサイドプレート２１０外周側面によって外側に向けて押される。
【０１２１】
このとき、可動抜止部２６１は、第一フレーム２０及び圧縮部２６２ｃに対して相対的に移動するため、第一インサイドプレート２１０の面方向における膨張が許容される。
【０１２２】
しかも、第一ユニット２１においては、第一インサイドプレート２１０と第一バックプレート２１１とを連結する連結部材２１２が、第一インサイドプレート２１０の外周部の周方向（第一バックプレート２１１の外周部の周方向）において間欠的に設けられているため、前記面方向における第一インサイドプレート２１０に対する連結部材２１２の拘束力を抑えることによっても、第一インサイドプレート２１０の面方向における膨張を許容する効果を得ることができる。
【０１２３】
このように、第一インサイドプレート２１０の面方向での膨張が規制されず、従って、第一インサイドプレート２１０が面直交方向に撓み難くなるという優れた効果を奏し得る。
【０１２４】
また、可動抜止部２６１は、付勢部材２６２ａによって第一インサイドプレート２１０外周側面に向けて付勢されているため、抜止軸部２６１ａａと抜止用凹部２７２との係合状態が解除されないようになっている。
【０１２５】
第一フレーム２０に対する設置位置や、第一インサイドプレート２１０の膨張の仕方によって各ロックユニット２６の可動抜止部２６１が第一インサイドプレート２１０から受ける外力はそれぞれ異なるが、ロックユニット２６毎に可動抜止部２６１に作用させる付勢力を調整できるため、第一インサイドプレート２１０を適切な外力（すなわち、第一フレーム２０から外れないようにしつつ、第一フレーム２０の膨張を妨げない程度の外力）で固定し易くなる。
【０１２６】
このように、第一着脱構造２２は、付勢部材２６２ａの可動抜止部２６１に対する付勢力を調整可能な付勢構造２６２を有する構成となっているため、付勢構造２６２によって可動抜止部２６１に対する付勢部材２６２ａの付勢力を調整することにより、ロックユニット２６の可動抜止部２６１の押付力を調整できる。
【０１２７】
以上のように、本実施形態に係る金型装置１は、枠状のフレームにインサイドプレートを着脱する構造として第一着脱構造２２を備えているため、組付状態においてフレームとインサイドプレートとを着脱状態又は着脱解除状態に切り替えることができるとともに、成型時においては、インサイドプレートが面直交方向に撓み難くなるため、枠状のフレームの前面にインサイドプレートの外周全周がネジ止めされている金型装置に対して、第一中型Ｍ１及び第二中型Ｍ２の交換作業に費やす時間を抑えることができ、且つ中型を取り付けるプレートの撓みを抑えることができる点で優れたものとなる。
【０１２８】
なお、本発明に係る成型装置は、上記実施形態に限定されるものではなく、本発明の要旨を逸脱しない範囲内において種々の変更を加え得ることは勿論である。
【０１２９】
上記実施形態では、第一フレーム２０、第一ユニット２１、第一着脱構造２２が固定型２に設置され、第二フレーム３０、第二ユニット３１、第一着脱構造２２が可動型３に設置されていたが、例えば、第一フレーム２０、第一ユニット２１、第一着脱構造２２が可動型３に設置され、第二フレーム３０、第二ユニット３１、第一着脱構造２２が固定型２に設置されていてもよい。
【０１３０】
上記実施形態では、第一インサイドプレート２１０と、第二インサイドプレート３１０のうち、第一インサイドプレート２１０のみが面方向での膨張が許容されるようにして第一フレーム２０に固定されていたが、第二インサイドプレート３１０も、面方向での膨張が許容されるようにしてアダプタフレーム３１１に固定されていてもよい。
【０１３１】
この場合、第二着脱構造３２は、第一着脱構造２２のように、アダプタフレーム３１１の周方向に並べて設けられる複数のロックユニットと、該ロックユニットと協働して第二インサイドプレート３１０をアダプタフレーム３１１に対して抜止する複数の抜止金具２７とで構成されていてもよい。
【０１３２】
また、第二着脱構造３２のロックユニットは、第一着脱構造２２のロックユニットのように、アダプタフレーム３１１に対してスライド可能であり且つ該スライドに伴ってアダプタフレーム３１１内に出退可能な可動抜止部であって、アダプタフレーム３１１内に進出した状態でアダプタフレーム３１１に対する第二インサイドプレート３１０の抜止を行う可動抜止部と、該可動抜止部を第二インサイドプレート３１０の外周側面に向けて付勢する付勢構造とを有するように構成されていればよい。
【０１３３】
上記実施形態において、固定型２は、第一ユニット２１が第一フレーム本体２００に収容されるように構成されていたが、この構成に限定されない。例えば、固定型２は、第一ユニット２１が第一フレーム本体２００の前面に取り付けられるように構成されていてもよい。
【０１３４】
上記実施形態において、可動型３は、第二ユニット３１が第二フレーム本体３００の前面に取り付けられるように構成されていたが、この構成に限定されない。例えば、可動型３は、第二ユニット３１が第二フレーム本体３００に収容されるように構成されていてもよい。
【０１３５】
上記実施形態において、第一インサイドプレート２１０には中型としてキャビ型が取り付けられ、第二インサイドプレート３１０には中型としてコア型が取り付けられていたが、この構成に限定されない。例えば、第一インサイドプレート２１０には中型としてコア型が取り付けられ、第二インサイドプレート３１０には中型としてキャビ型が取り付けられていてもよい。
【０１３６】
上記実施形態において、第一インサイドプレート２１０には、四つの中型が取り付けられていたが、第一インサイドプレート２１０に取り付けられる中型の数は、特に限定されない。また、上記実施形態において、第二インサイドプレート３１０には、四つの中型が取り付けられていたが、第二インサイドプレート３１０に取り付けられる中型の数は、第一インサイドプレート２１０に取り付けられている中型の数と対応していれば、特に限定されない。
【０１３７】
上記実施形態では、取外工程において、組品を第一フレーム２０から取り外した後に第二フレーム３０から取り外していたが、組品を第二フレーム３０から取り外した後に第一フレーム２０から取り外してもよい。
【０１３８】
但し、上記実施形態のように、固定型２が第一フレーム２０に第一ユニット２１を収容可能に構成されている場合においては、組品を第一フレーム２０から取り外した後に第二フレーム３０から取り外せば、第一フレーム２０に対する吊上装置Ｗの干渉を防止できるため、第一中型Ｍ１及び第二中型Ｍ２の交換作業を円滑に行うことができる。
【０１３９】
上記実施形態では、取付工程において、交換用組品を第二フレーム３０に取り付けた後に第一フレーム２０に取り付けていたが、例えば、交換用組品を第一フレーム２０に取り付けた後に第二フレーム３０に取り付けてもよい。
【０１４０】
但し、上記実施形態のように、固定型２が第一フレーム２０に第一ユニット２１を収容可能に構成されている場合においては、交換用組品を第二フレーム３０に取り付けた後に第一フレーム２０に取り付けるようにすれば、第一フレーム２０に対する吊上装置Ｗの干渉を防止できるため、第一中型Ｍ１及び第二中型Ｍ２の交換作業を円滑に行うことができる。
【符号の説明】
【０１４１】
１…成型装置、２…第一型（固定型）、３…第二型（可動型）、４…組品（交換用組品）、２０…第一フレーム、２１…第一ユニット（交換用第一ユニット）、２２…第一着脱構造、２３…第一蒸気供給部、２４…第一冷却配管系、２５…第一位置決部、２６…ロックユニット、２７…抜止金具、３０…第二フレーム、３１…第二ユニット（交換用第二ユニット）、３２…第二着脱構造、３３…第二蒸気供給部、３４…第二冷却配管系、３５…位置決構造、３６…第二位置決部、２００…第一フレーム本体、２０１…シールプレート、２０１ａ…縦板部、２０１ｂ…横板部、２０２…側壁部、２０３…接続壁部、２０４…可動孔、２１０…第一インサイドプレート、２１０ａ…配置用凹部、２１１…第一バックプレート、２１２…連結部材、２１３…補強部材、２１４…ガイドパイプ、２２０ｃ…進退操作部、２３０…導入孔、２４０…第一給水部、２４０ａ…第一フランジ部、２４０ｂ…第一給水管、２４０ｃ…開口端、２４１…第一配水部、２４１ａ…配水管路部、２４１ｂ…ジョイント部、２４１ｃ…傾斜面、２５０…挿込凹部、２６０…ベース部、２６０ａ…台部、２６０ｂ…ベース本体部、２６０ｃ…逃孔、２６１…可動抜止部、２６１ａ…ロッド部、２６１ａａ…抜止軸部、２６１ａｂ…被ガイド軸部、２６１ｂ…フランジ部、２６１ｃ…取付部、２６２…付勢構造、２６２ａ…付勢部材、２６２ｂ…調整部、２６２ｃ…圧縮部、２６２ｄ…貫通孔、２６２ｅ…位置変更部、２６２ｆ…位置決補助部、２７０…当接配置部、２７１…嵌込部、２７２…抜止用凹部、２７２ａ…第一凹部、２７２ｂ…第二凹部、３００…第二フレーム本体、３００ａ…縦枠部、３００ｂ…横枠部、３０１…第二バックプレート、３０２…受板、３０２ａ…噴射孔、３０３…第二補強部材、３１０…第二インサイドプレート、３１０ａ…取付孔、３１１…アダプタフレーム、３１１ａ…縦辺部、３１１ｂ…横辺部、３１２…受圧部材、３１３…位置決用固定部、３２０…連結操作部、３２０ａ…取付ベース部、３２０ｂ…回転操作部、３２０ｃ…引留部、３２１…被連結部、３２１ａ…嵌込凹部、３３０…流通孔、３４０…第二給水部、３４０ａ…第二給水管、３４１…第二配水部、３４１ａ…配水管路部、３５０…位置決ブッシング、３５１…位置決凹部、３６０…位置決ピン、Ｄ…型締装置、Ｄ１…固定盤、Ｄ２…可動盤、Ｍ１…第一中型（交換用第一中型）、Ｍ２…第二中型（交換用第二中型）、Ｎ…ノズル、ＳＢ…セットボルト、Ｗ…吊上装置
【図１】
2018149712.tif 000003
【図２】
2018149712.tif 000004
【図３】
2018149712.tif 000005
【図４】
2018149712.tif 000006
【図５】
2018149712.tif 000007
【図６】
2018149712.tif 000008
【図７】
2018149712.tif 000009
【図８】
2018149712.tif 000010
【図９】
2018149712.tif 000011
【図１０】
2018149712.tif 000012
【図１１】
2018149712.tif 000013
【図１２】
2018149712.tif 000014
【図１３】
2018149712.tif 000015
【図１４】
2018149712.tif 000016
【図１５】
2018149712.tif 000017